(57)【要約】      （修正有）【課題】複数の動画のうち、ユーザが見たい動画を容易に探し出し視聴することができる仕組みを提供する。【解決手段】複数の要約対象動画を用いて作成された要約動画を再生し、再生されている要約動画の元となった要約対象動画であって、全編再生の対象とする動画の選択を受け付け、選択を受け付けた動画の全編を再生する。【選択図】図１
2015032906.tif 000002
【特許請求の範囲】
【請求項１】
複数の要約対象動画を用いて作成された要約動画を再生する要約動画再生手段と、
前記要約動画の元となった要約対象動画であって、全編再生の対象とする動画の選択を受け付ける全編再生動画選択受付手段と、
前記全編再生動画選択受付手段で受け付けた動画の全編を再生する全編再生手段と、
を備えることを特徴とする情報処理装置。
【請求項２】
前記要約動画再生手段による要約動画の再生中に、全編再生する指示を受け付ける全編再生指示受付手段をさらに備え、
前記全編再生手段は、前記全編再生指示受付手段により全編再生する指示を受け付けた場合に、前記全編再生動画選択受付手段で受け付けた動画の全編を再生することを特徴とする請求項１に記載の情報処理装置。
【請求項３】
複数の要約対象動画の選択を受け付ける要約対象動画選択受付手段と、
前記要約対象動画選択受付手段により選択を受け付けた複数の要約対象動画を用いて、要約動画を作成する要約動画作成手段と、
をさらに備え、
前記要約動画再生手段は、前記要約動画作成手段により作成された動画を再生することを特徴とする請求項１または２に記載の情報処理装置。
【請求項４】
前記全編再生手段による全編再生中に、前記全編再生動画選択受付手段により受け付けた動画のうち、全編再生の選択の解除を受け付ける選択解除受付手段と、
をさらに備えることを特徴とする請求項１乃至３のいずれか１項に記載の情報処理装置。
【請求項５】
要約対象の動画を記憶する記憶手段をさらに備えることを特徴とする請求項１乃至４のいずれか１項に記載の情報処理装置。
【請求項６】
前記要約動画再生手段または前記全編再生手段により再生される動画が表示される領域と、要約対象動画を識別するサムネイル画像が表示された領域と、を含む再生画面を表示部に表示する表示制御手段をさらに備えることを特徴とする請求項１乃至６のいずれか１項に記載の情報処理装置。
【請求項７】
前記表示制御手段は、前記要約動画再生手段により再生されている要約対象動画のサムネイルを、他のサムネイルと識別可能に表示することを特徴とする請求項６に記載の情報処理装置。
【請求項８】
情報処理装置の要約動画再生手段が、複数の要約対象動画を用いて作成された要約動画を再生する要約動画再生工程と、
前記情報処理装置の全編再生動画選択受付手段が、前記要約動画の元となった要約対象動画であって、全編再生の対象とする動画の選択を受け付ける全編再生動画選択受付工程と、
前記情報処理装置の全編再生手段が、前記全編再生動画選択受付工程で受け付けた動画の全編を再生する全編再生工程と、
を備えることを特徴とする情報処理方法。
【請求項９】
情報処理装置において実行可能なプログラムであって、
前記情報処理装置を、
複数の要約対象動画を用いて作成された要約動画を再生する要約動画再生手段と、
前記要約動画の元となった要約対象動画であって、全編再生の対象とする動画の選択を受け付ける全編再生動画選択受付手段と、
前記全編再生動画選択受付手段で受け付けた動画の全編を再生する全編再生手段として機能させることを特徴とするプログラム。
【発明の詳細な説明】
【技術分野】
【０００１】
本発明は、動画を再生する際の技術に関する。
【背景技術】
【０００２】
ビデオカメラにより撮影された動画は、通常、パソコンのハードディスクなどの記憶領域（記憶媒体）に記憶して撮りためておくことが行われている。記憶媒体の記憶容量が大きくなってきているため、長時間の動画であっても記憶でき、また、多数の動画を記憶することができる。
【０００３】
このように撮りためた動画を、あとから見たくなった場合、記憶された動画を１つずつ指定し、部分的に再生して内容を確認している。そして、確認した動画が見たい動画であった場合は、その動画の全シーンの先頭から再生して、動画を閲覧している。
【０００４】
このような作業では、動画を１つずつ指定する操作と、ムービーコントローラで部分的に再生し確認する操作を繰り返し行い、さらに確認した動画が所望の動画であった場合はそれを再生する操作をする、といったように、非常に多くの操作が必要となる。
【０００５】
動画の数が少数であれば手間はかからないが、大量の動画が記憶されている場合などは、非常に多くの手間がかかってしまう。その結果、せっかく撮りためた動画があとから見ることもなく埋もれてしまうことも多い。
【０００６】
特許文献１には、動画をダイジェスト部と非ダイジェスト部とに分類し、ダイジェスト部の再生を行い、ユーザからの指示があった場合には、非ダイジェスト部も再生をすることで、視聴時間を短縮でき、さらに詳細な内容を視聴したい場合には、容易にその詳細も視聴することができる仕組みが開示されている。
【先行技術文献】
【特許文献】
【０００７】
【特許文献１】特開２０００−１１５６９０号公報
【発明の開示】
【発明が解決しようとする課題】
【０００８】
特許文献１は、ある１つの動画について、ダイジェスト部と非ダイジェスト部とを分類しているものであり、元動画が複数存在する場合については、記載がされていない。そのため、動画が多数存在し、その中から所望の動画を選び出し、視聴するという作業における効率化については、記載がされていない。
【０００９】
そこで、本発明は、複数の動画のうち、ユーザが見たい動画を容易に探し出し視聴することができる仕組みを提供することを目的とする。
【課題を解決するための手段】
【００１０】
本発明の情報処理装置は、複数の要約対象動画を用いて作成された要約動画を再生する要約動画再生手段と、前記要約動画の元となった要約対象動画であって、全編再生の対象とする動画の選択を受け付ける全編再生動画選択受付手段と、前記全編再生動画選択受付手段で受け付けた動画の全編を再生する全編再生手段と、を備えることを特徴とする。
【００１１】
また、本発明の情報処理方法は、情報処理装置の要約動画再生手段が、複数の要約対象動画を用いて作成された要約動画を再生する要約動画再生工程と、前記情報処理装置の全編再生動画選択受付手段が、前記要約動画の元となった要約対象動画であって、全編再生の対象とする動画の選択を受け付ける全編再生動画選択受付工程と、前記情報処理装置の全編再生手段が、前記全編再生動画選択受付工程で受け付けた動画の全編を再生する全編再生工程と、を備えることを特徴とする。
【００１２】
また、本発明のプログラムは、情報処理装置において実行可能なプログラムであって、前記情報処理装置を、複数の要約対象動画を用いて作成された要約動画を再生する要約動画再生手段と、前記要約動画の元となった要約対象動画であって、全編再生の対象とする動画の選択を受け付ける全編再生動画選択受付手段と、前記全編再生動画選択受付手段で受け付けた動画の全編を再生する全編再生手段として機能させることを特徴とする。
【発明の効果】
【００１３】
本発明によれば、複数の動画のうち、ユーザが見たい動画を容易に探し出し視聴することができる仕組みを提供することが可能となる。
【図面の簡単な説明】
【００１４】
【図１】情報処理装置１０１の機能を示す機能ブロック図である
【図２】情報処理装置１０１のハードウエア構成を示す図である
【図３】情報処理装置１０１が実行する要約動画の作成条件の設定処理を示すフローチャートである
【図４】情報処理装置１０１が実行する要約動画の再生処理を示すフローチャートである
【図５】情報処理装置１０１が実行する動画全編の再生処理を示すフローチャートである
【図６】動画再生画面の一例を示す図である
【図７】要約動画の作成条件の設定を受け付ける画面の一例を示す図である
【図８】情報処理装置１０１が実行するフルスクリーンでの再生処理を示すフローチャートである
【発明を実施するための形態】
【００１５】
図１を用いて、本実施形態における情報処理装置の機能を説明する。
【００１６】
カメラ（撮影装置）００１は、動画を撮影する機能を備える装置である。撮影された動画は、情報処理装置１０１の記憶部００９に転送するなどして記憶される。
【００１７】
要約動画再生部００２は、要約動画作成部００７により作成された動画を、表示制御部０１０により表示された画面において再生する機能を備える。
【００１８】
全編再生動画選択受付部００３は、表示制御部０１０により表示された画面を介して、ユーザにより全編再生する動画の選択を受け付ける機能を備える。
【００１９】
全編再生手段００４は、全編再生動画選択受付部００３により選択を受け付けた動画の全編を、表示制御部０１０により表示された画面において再生する機能を備える。
【００２０】
全編再生指示受付部００５は、全編再生動画選択受付部００３により選択を受け付けた動画の再生を開始する旨の指示を受け付ける機能を備える。
【００２１】
要約対象動画選択受付部００６は、記憶部００９に記憶された動画のうち、要約動画の元となる動画（要約対象動画）の選択を受け付ける機能を備える。
【００２２】
要約動画作成部００７は、要約対象動画選択受付手段により選択を受け付けた動画を用いて、要約動画を作成する機能を備える。
【００２３】
選択解除受付部００８は、全編再生動画選択受付部００３で受け付けた選択を解除する旨の指示を受け付ける機能を備える。
【００２４】
記憶部００９は、撮影装置００１により撮影された動画を取得し、記憶する機能を備える。
【００２５】
表示制御部０１０は、要約動画や動画全編などを表示する再生画面をディスプレイ装置２１０などの表示部に表示する機能を備える。
【００２６】
なお、本実施形態においては、本発明の処理の実施主体を情報処理装置１０１のＣＰＵ２０１として書いているが、カメラ００１自体が本実施形態の情報処理装置１０１としての機能を備えていて、当該カメラが本実施形態に示す処理を実行しても良い。
【００２７】
以下、図２を用いて、図１に示した情報処理装置１０１のハードウエア構成の一例について説明する。
【００２８】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２９】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００３０】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００３１】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３２】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００３３】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３４】
ハードウエア上で動作する各種プログラムは、外部メモリ２１１に記録されており、必要に応じてＲＡＭ２０２にロードされることによりＣＰＵ２０１によって実行されるものである。
【００３５】
なお、全ての装置がこれらの構成を備えているわけではなく、必要なものを夫々備えていればよい。
【００３６】
次に、図３を用いて、本実施形態における表示座標の調整処理について説明する。
【００３７】
なお、図３のフローチャートに示す処理は、情報処理装置１０１のＣＰＵ２０１が所定の制御プログラムを読み出して実行する処理である。
【００３８】
ステップＳ３０１では、情報処理装置１０１のＣＰＵ２０１は、図７に示す設定画面を表示部に表示する。
【００３９】
図７は、ダイジェスト動画（要約動画）を作成するための条件の設定を受け付ける画面である。図７の説明は後述する。
【００４０】
ステップＳ３０２では、情報処理装置１０１のＣＰＵ２０１は、ステップＳ３０１で表示した画面を介して、ユーザから各種の条件の設定入力を受け付ける。
【００４１】
ステップＳ３０３では、情報処理装置１０１のＣＰＵ２０１は、ステップＳ３０１で表示した画面における登録ボタン７０５が押下されたかを判断する。
【００４２】
登録ボタン７０５が押下された場合（ステップＳ３０３：ＹＥＳ）は処理をステップＳ３０４に移行する
【００４３】
登録ボタン７０５が押下されていない場合（ステップＳ３０３：Ｎｏ）は、処理をステップＳ３０２に戻す。
【００４４】
ステップＳ３０４では、情報処理装置１０１のＣＰＵ２０１は、設定画面（図７）を介して設定された条件に従い、要約動画を作成する。要約動画の作成に関しては、図７の画面を用いて後述する。
【００４５】
ステップＳ３０５では、情報処理装置１０１のＣＰＵ２０１は、ステップＳ３０４で作成した要約動画を再生する処理を実行する。
【００４６】
要約動画の再生処理（ステップＳ３０５）の詳細については、図４を用いて説明する。
【００４７】
次に、図４を用いて、要約動画の再生処理について説明する。
【００４８】
なお、図４のフローチャートで示す処理は、情報処理装置１０１のＣＰＵ２０１が所定の制御プログラムを読み込んで実行する処理である。
【００４９】
ステップＳ４０１では、情報処理装置１０１のＣＰＵ２０１は、動画再生画面を表示する。動画再生画面の一例を図６に示す。
【００５０】
ステップＳ４０２では、情報処理装置１０１のＣＰＵ２０１は、ステップＳ３０４で作成した動画を再生する。
【００５１】
ステップＳ４０３では、情報処理装置１０１のＣＰＵ２０１は、ステップＳ４０１で表示した画面を介して、全編再生対象の動画の選択を受け付ける。
【００５２】
ステップＳ４０４では、情報処理装置１０１のＣＰＵ２０１は、全編再生指示を受け付けたか否かを判断する。
【００５３】
具体的には、図６に示す再生画面における全編再生ボタン６０３が押下されたか否かにより判断する。
【００５４】
全編再生指示を受け付けた場合（ステップＳ４０４：ＹＥＳ）は、処理をステップＳ４０５に移行する。ステップＳ４０５の処理の詳細については、図５を用いて後述する。
【００５５】
指示を受け付けていない場合（ステップＳ４０４：ＮＯ）は、処理をステップＳ４０６に移行する。
【００５６】
ステップＳ４０６では、情報処理装置１０１のＣＰＵ２０１は、フルスクリーン再生指示を受け付けたか否かを判断する。
【００５７】
具体的には、図６に示す再生画面におけるフルスクリーンボタン６０４が押下されたか否かにより判断する。
【００５８】
フルスクリーン再生指示を受け付けた場合（ステップＳ４０６：ＹＥＳ）は、処理をステップＳ４０７に移行する。ステップＳ４０７の詳細については、図８を用いて後述する。
【００５９】
フルスクリーン再生指示を受け付けていない場合（ステップＳ４０６：Ｎｏ）は、処理をステップＳ４０８に移行する。
【００６０】
ステップＳ４０８では、情報処理装置１０１のＣＰＵ２０１は、要約動画の再生が終了したか否かを判断する。
【００６１】
終了した場合（ステップＳ４０８：ＹＥＳ）は、処理をステップＳ４０９に移行する。
【００６２】
終了していない場合（ステップＳ４０８：ＮＯ）は、引き続き再生処理を継続する（ステップＳ４０２）。
【００６３】
ステップＳ４０９では、情報処理装置１０１のＣＰＵ２０１は、全編再生する動画が選択されているか否かを判断する。具体的には、図６に示すチェックボックス６０６のいずれかにチェックがなされたか否かにより判断する。
【００６４】
全編再生する動画が選択されている場合（ステップＳ４０９：ＹＥＳ）は、処理をステップＳ４１０に移行する。ステップＳ４１０の処理は、ステップＳ４０５と同様の処理であり、図５のフローチャートで示す処理である。
【００６５】
全編再生する動画が選択されていない場合（ステップＳ４０９：ＮＯ）は、本フローチャートに示す処理を終了する。
【００６６】
なお、図６に示す終了ボタン６０５がいずれかのタイミングで押下された場合には、要約動画の再生処理を終了する。
ここで、図６に示す動画再生画面ついて説明する。
【００６７】
図６は、ステップＳ４０１で表示される動画再生画面である。
【００６８】
６０１で示す領域は、再生対象の動画が表示される領域である。６０２で示す領域は、動画の諸情報（撮影日時、動画の長さ、ファイル名、ファイルパス等）が表示される領域である。
【００６９】
６０３は全編再生モードへの移行指示受け付けるボタンである。全編再生ボタン６０３が押下されると、要約動画を再生していたモードから全編再生モードに移行する。ここで全編再生される動画は、チェックボックス６０６にチェックがなされた動画である。
【００７０】
６０４はフルスクリーンで動画を再生する指示を受け付けるボタンである。フルスクリーンボタン６０４が押下された場合、動画表示領域６０１が画面（表示部）全体に拡大され、動画がフルスクリーンで（画面領域全体に）表示される。
【００７１】
６０５は、動画再生処理を終了する旨の指示を受け付けるボタンである。
【００７２】
６０６はユーザから全編再生したい動画の選択を受け付けるためのチェックボックスである。６０６で示すチェックボックスにチェックがなされ、全編再生ボタン６０３が押下されることで、当該チェックされた動画が全編再生される。図６に示す画面では、左から２つ目の動画にチェックがなされた例を示す。この場合において全編再生ボタン６０３が押下されると、左から２つめの動画の全編が再生される。
【００７３】
６０７は要約動画の元となった動画のサムネイルが表示される領域である。サムネイルとして使われるフレームは、動画中の最初のフレームであっても良いし、代表的なフレームであっても、いずれを用いても良い。６０７に示す領域にサムネイルが表示されている複数の動画を要約した（部分的に抽出し、それらをつなぎ合わせた）動画が、６０１の領域に表示（再生）される。
【００７４】
また、６０７に表示されているサムネイルのうち、現在再生中の動画（６０１の領域に表示されているフレームを含む動画）のサムネイルを他のサムネイルと識別可能に表示している。
【００７５】
図６に示す例では、現在６０１の領域に表示されているフレームは、左から３つ目の動画に含まれるフレームであることを意味している。
【００７６】
６０８は動画の再生位置を示すコントロールバーである。左端が動画の開始位置を、右端が動画の終了位置を示す。動画が再生されるに従い、右に動いていく。
【００７７】
６０９は、サムネイルのスクロールバーである。図６に示す画面では、６個のサムネイルが表示されるが、７個以上の動画を要約している場合には、表示しきれないためスクロールバーが表示される。スクロールバーを左右に動かすことで、表示されていないサムネイルが表示される。
次に図７について説明する。
【００７８】
図７は、要約動画を作成する際の条件の設定を受け付ける画面である。
【００７９】
７０１は、要約動画の元のなる動画が格納された場所の指定を受け付ける領域である。例えばファイルパス等でフォルダの指定を受け付ける。ここで受け付けたフォルダに格納された動画ファイルを元動画として、例えば部分的に抽出しつなぎ合わせるといった処理により、要約動画を作成する。なお、当該作成方法は一例であり、他の方法によって要約動画を作成してもよい。
【００８０】
７０２は、撮影期間によって要約動画の元となる動画を指定する際に用いる入力欄である。ここに入力され指定された期間内に撮影された動画が元動画となり、要約動画が作成される。
【００８１】
７０３は、元動画のどこから要約動画に使うかを指定するための領域である。例えば動画開始位置から３０秒後といった指定をすることで、その位置からの動画が要約動画として使われる。
【００８２】
７０４は、要約動画として使う長さの指定を受け付ける領域である。ここで「３分」と指定した場合は、７０３で指定された位置から３分間の動画が要約動画に使われる。
【００８３】
７０５は登録ボタンである。登録ボタン７０５が押下されると、７０１、７０２、７０３、７０４に入力されたデータに従い、要約動画が作成される。
【００８４】
例えば、７０３の入力欄において「３０秒」と設定され、７０４の入力欄で「３分間」と指定された場合、要約対象動画（７０１の入力欄で指定された格納場所に格納された動画であって、７０２の入力欄で設定された期間に撮影された動画）のそれぞれについて、開始位置から３０秒後から３分間の動画を抽出し、それらをつなぎ合わせることで、要約動画が作成される。
【００８５】
要約動画については、このように各要約対象動画からそれぞれ一部分を抽出し、それらをつなぎ合わせることで作成する。ここで繋ぎ合わせる際には、実際に一つなぎになった動画データを作成しても良いし、または、各動画の該当部分を参照する情報だけを持ち、それらの参照情報をつなぐように作成することも可能である。
【００８６】
以上のように、各要約対象動画から、一部分ずつ抽出した要約動画を作成し再生することで、要約動画を再生するという操作によって複数の動画の内容を把握することができるため、所望の動画を探しやすくなる。
【００８７】
また、再生画面において、要約動画の元となった動画のサムネイルを表示することで、いずれの動画が要約動画の元となっているのかを把握することが可能となる。
【００８８】
また、現在再生画面に表示されているフレームが、いずれの元動画のものであるかを、識別可能に表示することで、所望の動画がいずれであるかを判断しやすくなる。
【００８９】
また、要約動画を再生中に、全編再生したい動画の選択を受け付けることで、要約動画を見ることで自分が探していた動画を見つけ出し、見つけ出した動画の全編を視聴することが可能となる。また、チェックボックスにチェックをすることで、全編再生対象の動画として選択することができるため、複数の動画について全編を視聴したい場合における操作性を向上することが可能となる。
【００９０】
次に、図５を用いて、全編再生処理（ステップＳ４０５）の詳細について説明する。
【００９１】
なお、図５のフローチャートで示す処理は、情報処理装置１０１のＣＰＵ２０１が所定の制御プログラムを読み出して実行する処理である。
【００９２】
ステップＳ５０１では、情報処理装置１０１のＣＰＵ２０１は、ステップＳ４０３で選択を受け付けた動画の全編の再生を開始する。
【００９３】
ステップＳ５０２では、情報処理装置１０１のＣＰＵ２０１は、再生画面における全編再生ボタン６０３を、ダイジェスト再生する旨の指示を受け付けるボタンに変更する。
【００９４】
ステップＳ５０３では、情報処理装置１０１のＣＰＵ２０１は、再生画面におけるダイジェスト再生ボタンが押下されたか否か（要約動画の再生をする旨の指示を受け付けたか否か）を判断する。
【００９５】
ダイジェスト再生ボタンが押下された場合（ステップＳ５０３：ＹＥＳ）は、処理をステップＳ５０４に移行する。なお、ステップＳ５０４の処理の詳細は図４のフローチャートで示す処理ある。
【００９６】
ダイジェスト再生ボタンが押下されていない場合（ステップＳ５０３：ＮＯ）は、処理をステップＳ５０５に移行する。
【００９７】
ステップＳ５０５では、情報処理装置１０１のＣＰＵ２０１は、再生画面におけるフルスクリーンボタンが押下されたか否か（フルスクリーンで再生する旨の指示を受け付けたか否か）を判断する。
【００９８】
フルスクリーンボタンが押下された場合（ステップＳ５０５：ＹＥＳ）は、処理をステップＳ５０６に移行する。
【００９９】
フルスクリーンボタンが押下されていない場合（ステップＳ５０５：ＮＯ）は、処理をステップＳ５０７に移行する。
【０１００】
ステップＳ５０７では、情報処理装置１０１のＣＰＵ２０１は、チェックボックスのチェックが外された動画があるかを検知する。
【０１０１】
チェックが外された（全編再生対象から外された）動画がある場合（ステップＳ５０７：ＹＥＳ）は、処理をステップＳ５０８に移行する。
【０１０２】
チェックが外された動画が無い場合（ステップＳ５０７：ＮＯ）は、処理をステップＳ５０９に移行する。
【０１０３】
ステップＳ５０８では、情報処理装置１０１のＣＰＵ２０１は、動画を再構築する。ここでの再構築とは、全編再生をしている動画のチェックが外された場合は、当該動画の再生を終了し、次の全編再生対象の動画（チェックがされた動画）の全編再生を開始する。まだ全編再生されていない動画のチェックが外された場合は、当該動画を全編再生対象から除外（消去）する。
【０１０４】
ステップＳ５０９では、情報処理装置１０１のＣＰＵ２０１は、全編の再生が終了したか否かを判断する。
【０１０５】
全編再生が終了した場合（ステップＳ５０９：ＹＥＳ）は、処理をステップＳ５１０に移行する（Ｓ５０１）。
【０１０６】
終了していない場合（ステップＳ５０９：ＮＯ）は、引き続き当該動画の再生処理を継続する。
【０１０７】
ステップＳ５１０では、情報処理装置１０１のＣＰＵ２０１は、全編再生する動画として選択された動画のすべてについて、全編再生が終了したかを判断する。すなわち、全編再生する動画として選択された動画のうち、最後の動画について全編再生が終了したかを判断する。
【０１０８】
選択された全ての動画の再生が終了した場合（ステップＳ５１０：ＹＥＳ）は、本フローチャートに示す処理を終了する。
【０１０９】
再生されていない動画がある場合（ステップＳ５１０：ＮＯ）は、全編再生すると選択された次の動画の再生処理を行う（ステップＳ５１１、Ｓ５０１）。
【０１１０】
なお、図６に示す終了ボタン６０５がいずれかのタイミングで押下された場合には、全編再生の処理を終了する。
【０１１１】
次に、図８を用いて、フルスクリーンによる動画再生処理について説明する。
【０１１２】
図８のフローチャートで示す処理は、情報処理装置１０１のＣＰＵ２０１が所定の制御プログラムを読み出して実行する処理である。
【０１１３】
ステップＳ８０１は、情報処理装置１０１のＣＰＵ２０１は、フルスクリーンでの動画再生を行う。
【０１１４】
ステップＳ８０２では、情報処理装置１０１のＣＰＵ２０１は、戻る旨の指示がなされたか否かを判断する。
【０１１５】
ここで戻る旨の指示があったか否かは、例えば戻るボタンを表示し、当該ボタンが押下されたか否かによって判断することが可能である。
【０１１６】
戻るボタンについては、予め定められたキーが押下されることで表示するといった制御をしてもよい。
【０１１７】
戻るボタンが押下されるなどにより、通常画面へ戻る旨の指示がなされた場合（ステップＳ８０２：ＹＥＳ）は、通常の動画再生画面へ戻り（ステップＳ８０３）、本フローチャートの処理を終了する。押下されていない場合（ステップＳ８０２：ＮＯ）は、引き続きフルスクリーンでの動画再生を継続する。
【０１１８】
なお、上述した各種データの構成及びその内容はこれに限定されるものではなく、用途や目的に応じて、様々な構成や内容で構成されることは言うまでもない。
【０１１９】
また、本発明におけるプログラムは、図３〜図５、図８の処理をコンピュータに実行させるプログラムである。なお、本発明におけるプログラムは、図３〜図５、図８の各処理ごとのプログラムであってもよい。
【０１２０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１２１】
この場合、記録媒体から読み出されたプログラム自体が本発明の新規な機能を実現することになり、そのプログラムを記録した記録媒体は本発明を構成することになる。
【０１２２】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１２３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２５】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２６】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１２７】
１０１  情報処理装置
【図１】
2015032906.tif 000003
【図２】
2015032906.tif 000004
【図３】
2015032906.tif 000005
【図４】
2015032906.tif 000006
【図５】
2015032906.tif 000007
【図６】
2015032906.tif 000008
【図７】
2015032906.tif 000009
【図８】
2015032906.tif 000010